(57)【要約】【課題】軒樋の流水性能への悪影響が軽減された軒樋吊具を提供すること。【解決手段】軒樋の内側に前耳部と後耳部との間に跨って配置され、前耳部を係止する前係止部８と後耳部を係止する後係止部１５とを有する本体部２において、軒先側に位置する後端部７が斜め上方に傾斜するとともに、本体部において軒樋を流れる水の流水方向に対して直交する部分に流水方向に貫通する開口１７が形成されている。【選択図】図１
2010255305.tif 000002
【特許請求の範囲】
【請求項１】
上端部が、屋根に配設された水切りの軒先側の下端と略同一高さに配置されて軒先に取り付けられる軒樋吊具であって、軒樋の内側に前耳部と後耳部との間に跨って配置され、前耳部を係止する前係止部と後耳部を係止する後係止部とを有する本体部において、軒先側に位置する後端部が斜め上方に傾斜するとともに、本体部において軒樋を流れる水の流水方向に対して直交する部分に流水方向に貫通する開口が形成されていることを特徴とする軒樋吊具。
【請求項２】
本体部は、前係止部を先端に有する起立部を前側に備え、起立部にはその長さ方向に延びる補強リブが配設されていることを特徴とする請求項１に記載の軒樋吊具。
【発明の詳細な説明】
【技術分野】
【０００１】
本発明は、軒樋を軒先に取り付けるための軒樋吊具に関する。
【背景技術】
【０００２】
軒樋吊具については、軒樋の鼻隠し板からの出寸法の調整や強度向上などの性能面での改良が行われてきたが、その一方で、支持する軒樋の配置高さに制約が課せられている。特に後耳部が低くなっている軒樋では、屋根に配設された水切りとの高さの差が大きくなっており、雨水が軒樋の後壁部側から漏出し、建物の外壁に飛散したり、外壁を伝って流れ落ちたりする可能性が高くなっている。
【０００３】
こうした事情から、たとえば特許文献１に記載された軒樋支持具が提案されている。特許文献１に記載された軒樋支持具では、軒先固定部と軒樋支持部とを連結するアーム部において、軒先水切り部材の下端縁が当接する上面に、軒樋支持部方向に開口する囲い壁部が周縁に立設され、アーム部の上面部に溜まった水を軒樋支持部方向へ流下させるようにしている。
【先行技術文献】
【特許文献】
【０００４】
【特許文献１】特開平９−２２８５８８号公報
【発明の概要】
【発明が解決しようとする課題】
【０００５】
特許文献１に記載された軒樋支持具などによって、軒樋の後壁部側への雨水の回り込みや後壁部からの雨水の伝い漏れなどが軽減され、また、軒樋の配置高さを上げることが可能となっている。
【０００６】
しかしながら、軒樋の配置高さを上げるための代償として、軒樋吊具の本体部（上記軒樋支持具ではアーム部）が軒樋に対し低い位置に配置されるようになっている。特に軒樋の出寸法を調整可能とした軒樋吊具では、本体部が、スライド可能な貝部と、貝部をスライド自在に支持するとともに、鼻隠し板に固定する足部とから形成されるため、軒樋に対する配置位置が低くなる傾向が強い。
【０００７】
このように軒樋に対する本体部の配置位置が低い軒樋吊具については、本体部が、軒樋を流れる水に対して流水抵抗となると考えられ、軒樋の流水性能を阻害する可能性が指摘される。
【０００８】
本発明は、以上のとおりの事情に鑑みてなされたものであり、軒樋の流水性能への悪影響が軽減された軒樋吊具を提供することを課題としている。
【課題を解決するための手段】
【０００９】
本発明は、上記の課題を解決するために、以下の特徴を有している。
【００１０】
第１の発明は、上端部が、屋根に配設された水切りの軒先側の下端と略同一高さに配置されて軒先に取り付けられる軒樋吊具であって、軒樋の内側に前耳部と後耳部との間に跨って配置され、前耳部を係止する前係止部と後耳部を係止する後係止部とを有する本体部において、軒先側に位置する後端部が斜め上方に傾斜するとともに、本体部において軒樋を流れる水の流水方向に対して直交する部分に流水方向に貫通する開口が形成されていることを特徴としている。
【００１１】
第２の発明は、上記第１の発明の特徴において、本体部は、前係止部を先端に有する起立部を前側に備え、起立部にはその長さ方向に延びる補強リブが配設されていることを特徴としている。
【発明の効果】
【００１２】
上記第１の発明によれば、軒樋に対する本体部の配置位置が低いにもかかわらず、軒樋の内側に前耳部と後耳部との間に跨って配置される本体部において、軒先側に位置する後端部が斜め上方に傾斜するとともに、本体部において軒樋を流れる水の流水方向に対して直交する部分に流水方向に貫通する開口が形成されているため、本体部の流水抵抗が低減され、軒樋の流水性能への悪影響が軽減される。
【００１３】
上記第２の発明によれば、上記第１の発明の効果に加え、軒樋の配置高さを上げることにともなって前係止部を有する起立部の長さが長くなるが、起立部にはその長さ方向に延びる補強リブが配設されているため、補強リブによって起立部の強度が十分に確保される。軒樋の支持は確実に安定したものとなり、また、補強リブによって起立部と軒樋前壁部との間の距離が縮小されるため、強風や豪雪などによる軒樋の変形を抑制することもできる。
【図面の簡単な説明】
【００１４】
【図１】本発明の軒樋吊具の第１実施形態を示した斜視図である。
【図２】図１に示した軒樋吊具の側面図である。
【図３】図１に示した軒樋吊具の断面図である。
【図４】図１に示した軒樋吊具における貝部を示した側面図である。
【図５】図１に示した軒樋吊具を軒樋の取り付け状態とともに示した側面図である。
【図６】本発明の軒樋吊具の第２実施形態を軒樋の取り付け状態とともに示した側面図である。
【発明を実施するための形態】
【００１５】
＜実施形態１＞
図１−４に示した軒樋吊具１は、軒樋の出寸法を調整可能としたものであり、本体部２は、前後方向ｘにスライド可能な貝部３および貝部３をスライド自在に支持する足部４の２部材から形成されている。
【００１６】
貝部３は、略水平に配置される水平部５と、水平部５の前端から略直角に起立する起立部６と、水平部５の後端から斜め上方に傾斜して延びる傾斜部７とを一体に備えている。
【００１７】
起立部６の先端、すなわち、上端には、軒樋の前耳部を係止する前係止部８が配設されている。前係止部８は、軒樋の前耳部の外形に対応する内面を有し、内側に配置された内係止片９と、内係止片９に対向して前側に配置された外係止片１０とを備えている。内係止片９および外係止片１０はともに弾性を有しており、軒樋の前耳部を弾性力をともなって係止する。また、内係止片９の先端には前ガイド片１１が上向きに延設されている。前ガイド片１１は、軒樋を取り付ける際、前耳部を前係止部８の内側に誘い込み、内係止片９および外係止片１０による前耳部の係止が確実かつ簡便に行われるようにしている。
【００１８】
また、起立部６の前側には、前係止部８の下端から起立部６の下端部にかけて補強リブ１２が配設されている。補強リブ１２は、略三角形状の板体に形成されている。軒樋の配置高さを上げることにともなって起立部６の長さは長くなるため、補強リブ１２によって起立部６の強度を確保し、軒樋の確実かつ安定な支持を実現している。
【００１９】
さらに、起立部６の上端部内側には、前係止部８の下側に、軒樋の内側に配設される落葉よけネットを固定するためのフック１３が配設されている。フック１３は、略Ｌ字状に形成され、上向きに延びている。フック１３の内側には抜け止め用の突起１４が起立部６の内面に対向して突設されている。
【００２０】
傾斜部７には、後端部に、軒樋の後耳部を軒樋の内側から係止する後係止部１５が配設されている。後係止部１５は、軒樋の後耳部の外形に対応する内面を有し、下端外側には、後耳部の下端を係止する下係止片１６を備えている。
【００２１】
また、傾斜部７には、高さ方向の略中央から下端部にかけて、前後方向ｘに直交する左右方向ｙに貫通する開口１７が形成されている。
【００２２】
さらに、傾斜部７の後端上部からは、後係止部１５を迂回して下方に延びる後ガイド部１８が配設されている。後ガイド部１８は、断面略Ｌ字状に形成され、その下端は、傾斜部７の下端よりも下側に配置されている。後ガイド部１８の下端部内側には、断面略三角形状の板体に形成された後ガイド片１９が突設されている。後ガイド片１９では、下端が上端よりも内側に突出している。このような後ガイド部１８は、後ガイド片１９を含め、軒樋の取り付けの際に、後耳部を後係止部１５に向けて誘い込み、ガイドし、下係止片１６による後耳部の係止が確実かつ簡便に行われるようにしている。
【００２３】
そして、貝部３では、水平部５に上下方向に貫通するガイド溝２０が形成されている。
【００２４】
足部４は、貝部３のスライドガイドとなる、前端部に配置されたガイド部２１と、軒先の鼻隠し板に取り付けられる、後端部に配置された固定部２２と、ガイド部２１を固定部２２に連結する連結部２３とを一体に備えている。ガイド部２１には、前端側に、上下に貫通するボルト孔２４が形成されている。固定部２２は、略平板状の形状を有し、連結部２３の左右両側に延在するとともに下方に延びている。固定部２２には、前後方向ｘに貫通する丸穴、長穴状の固定穴２５が複数形成され、固定穴２５を通じてねじなどの固定具を鼻隠し板に向けて打入、螺入などすることによって、足部４が鼻隠し板に固定され、軒樋吊具１が軒先に取り付けられる。連結部２３は、貝部３の傾斜部７の前端から後ガイド部１８の上端までの上面形状に対応する下面を有し、上方に折れ曲がっている。
【００２５】
貝部３は、足部４の下側に、すなわち、水平部５の上面をガイド部２１の下面の下側に配置し、ボルト孔２４から挿入されるボルト２６がガイド溝２０の下端から突出するねじ部において蝶ナット２７を締め上げることによって、水平部５の上面とガイド部２１の下面が密接し、足部４に結合される。ガイド溝２０は、水平部５の前後方向ｘに所定の長さを有しており、したがって、足部４に対する貝部３の固定位置は、ガイド溝２０の長さ範囲で調整することができる。また、蝶ナット２７がボルト２６に緩く螺合している状態では、貝部３は、水平部５がガイド部２１にガイドされてガイド溝２０の長さ範囲で前後にスライド自在となる。このような貝部３の前後方向ｘのスライドは、また、連結部２３の下面形状が貝部３の傾斜部７の前端から後ガイド部１８の上端までの上面形状に対応していることが寄与してもいる。傾斜部７が連結部２３に当って貝部３がスライド不能になることはない。貝部３は、足部４に対してスムーズにスライドし、貝部３のスライド寸法は、ボルト２６がガイド溝２０の前端および後端に近接して配置される前後方向ｘの位置の差によって決まる。たとえば、３０ｍｍ程度として軒樋吊具１を設計することができる。貝部３の前後方向ｘのスライドによって、軒樋吊具１は、軒先に取り付ける軒樋の出寸法の調整を可能にしている。
【００２６】
なお、貝部３が前方に最も突出しているとき、すなわち、ボルト２６がガイド溝２０の後端に近接して配置されるとき、傾斜部７が連結部２３の前端部に近接して配置される。また、貝部３が最も軒先寄りに配置されるとき、後ガイド部１８の後端部は固定部２２に近接して配置される。
【００２７】
このような軒樋吊具１は、たとえば、耐久性、耐候性などを有する金属、樹脂などから形成される。
【００２８】
軒樋吊具１は、図５に示したように、建物の軒先に取り付けられる。
【００２９】
足部４に備えた固定部２２の後端面部を鼻隠し板２８の前面に当接して配置し、固定穴２５を通じてねじなどの固定具を鼻隠し板２８に打入、螺入などして固定することによって、軒樋吊具１は、軒先に取り付けられる。このとき、軒樋吊具１の上端部、すなわち、足部４に備えた連結部２３の上端部は、屋根２９の下地部３０に配設され、軒先において前方に突出する水切り３１の先端と略同一の高さに配設される。具体的には、水切り３１の先端から３ｍｍ程度下側の位置に連結部２３の上端部を配置することができる。このような上端部の配置と、貝部３に備えた斜め上方に傾斜する傾斜部７とによって、軒樋吊具１は、軒先に取り付ける軒樋３２の配置高さを高くしている。現状の軒樋吊具との比較では、約６−７ｍｍ高くすることが例示される。
【００３０】
軒樋３２は、後壁部３３の上端に形成された断面略ロ字状の後耳部３４が、後ガイド片１９および後ガイド部１８の内面によってガイドされて後係止部１５に進入し、後耳部３４の内側下端から下方に突出する係合片３５において下係止片１６により係止される。この状態において、軒樋３２の前壁部３６を上方に回動させ、前壁部３６の上端部において内側下方に屈曲し、その先端に形成された断面略ロ字状の前耳部３７を前ガイド片１１によってガイドして、前係止部８の内部に嵌合させる。このとき、内係止片９が前耳部３７の上端部を外側より係止するとともに、外係止片１０が前耳部３７の一側端部を内側より係止する。こうして、軒樋３２は、軒樋吊具１に支持されて軒先に取り付けられる。
【００３１】
上記のとおり、軒樋吊具１によって、軒先における軒樋３２の配置高さが高くなっており、軒樋３２の後壁部３３側への雨水の回り込みや後壁部３３からの雨水の伝い漏れなどが軽減される。
【００３２】
一方、軒樋３２の配置高さが高いことにともなって、貝部３および足部４から形成され、軒樋３２の内側に前耳部３７と後耳部３４との間に跨って配置される軒樋吊具１の本体部２は、軒樋３２に対する配置位置が低くなっている。しかしながら、軒樋吊具１は、貝部３に、斜め上方に傾斜する傾斜部７を備えるとともに、傾斜部７に、その高さ方向の略中央から下端部にかけて、前後方向ｘに直交する左右方向ｙに開口１７が貫通して形成されている。このため、軒樋３２を流れる水の流水方向の面積が十分に削減され、流水抵抗が低減されている。図５図中に点線で示した軒樋３２における排水有効断面積３８、すなわち、軒樋３２において底壁部３９から後耳部３４まで流水で塞がれるときの断面積は、軒樋吊具１によって約７０％確保され、軒樋３２の流水性能への悪影響が軽減されている。
【００３３】
また、開口１７の形成によって、傾斜部７には開口１７の周縁にトンネル状のゲートが形成され、このトンネル状のゲートは、貝部３にかかる荷重を分散することができ、引っ張り荷重を低減させるのに有効となる。また、開口１７が外観上目立ちにくくなり、軒樋吊具１の外観が良好に保持される。
【００３４】
また、軒樋吊具１では、軒樋３２の配置高さを上げることにともなって前係止部８を有する起立部６の長さが長くなっているが、起立部６にはその長さ方向に延びる補強リブ１２が配設されている。このため、補強リブ１２によって起立部６の強度が十分に確保される。軒樋３２の支持は確実に安定したものとなり、また、補強リブ１２によって起立部６と軒樋３２の前壁部３６との間の距離が縮小され、強風や豪雪などによる軒樋３２の変形を抑制することもできる。
＜実施形態２＞
図６に示した軒樋吊具１は、貝部３に備えた水平部５および傾斜部７の上部にも開口４０が形成された点において、図１−４に示した軒樋吊具１と異なっている。他の部分は、図１−４に示した軒樋吊具１と同様であり、図１−４に示した軒樋吊具１と共通する部分には同一の符号を付している。したがって、以下において、同一の符号を付した部分については説明を省略する。
【００３５】
図６に示した軒樋吊具１では、本体部２を形成する貝部３に備えた水平部５と、傾斜部７の上部とにも、軒樋３２における流水方向に貫通する開口４０が形成されている。このため、図６図中に点線で示した軒樋３２における排水有効断面積３８、すなわち、軒樋３２において底壁部３９から後耳部３４まで流水で塞がれるときの断面積は、軒樋吊具１によって約１００％確保され、流水抵抗はさらに低減されており、軒樋３２の流水性能への悪影響がより一層軽減されている。
【００３６】
開口４０の形状は丸穴状としているが、特に形状が制限されることはなく、角穴などとすることもできる。また、開口４０の開口面積の合計は、水平部５および傾斜部７が所要の強度を実現することができる限り、適宜なものとすることができる。
【００３７】
本発明は、上記実施形態によって限定されることはない。貝部および足部から本体部が形成される、出寸法の調整可能な軒樋吊具ばかりでなく、出寸法の調整を行わない軒樋吊具についても同様な構成を採用することができ、この場合にも、軒樋の排水性能などに関する効果は同様に奏される。
【符号の説明】
【００３８】
１  軒樋吊具
２  本体部
６  起立部
８  前係止部
１２  補強リブ
１５  後係止部
１７  開口
２９  屋根
３１  水切り
３４  後耳部
３７  前耳部
【図１】
2010255305.tif 000003
【図２】
2010255305.tif 000004
【図３】
2010255305.tif 000005
【図４】
2010255305.tif 000006
【図５】
2010255305.tif 000007
【図６】
2010255305.tif 000008